(57)【要約】【課題】本体枠等の被取付体に遊技盤等の取付体を圧接するようにして取り付ける際に乱雑に扱っても、これらに一体に設けられる雌・雄型コネクタが破損するのを防止し、その取付が容易にしかも支障なく行なえるようにした遊技機を提供する。【解決手段】取付体２に装着される締付具Ａ１にレバー１６を引き上げまたは引き下げることにより取付体２の取付面２ｂ側へ進退動する可動部材１８を設け、被取付体３の取付面３ａに取付体２を圧接するようにして取り付ける際に、雄型コネクタ１４ｂと雌型コネクタ１４ａとが接続されるべく接触するよりも先に締付具Ａ１の可動部材１８の先端１８ａが被取付体３の取付面３ａに当接するように可動部材１８の突出寸法Ｄを設定することにより、仮に、乱雑なあまり取付体２を勢いよく被取付体３の取付面に圧接しても、雌・雄型コネクタ１４ａ、４ｂの両端子が破損することがなく、その取付が容易にしかも支障なく行なえるようにした。【選択図】図５
2008259594.tif 000002
【特許請求の範囲】
【請求項１】
本体枠、機構板、透明板保持枠等の被取付体と該被取付体に圧接するようにして取り付けられる遊技盤、球払出し装置、電飾基板等の取付体とを備え、前記被取付体に雄型コネクタか雌型コネクタのいずれか一方が設けられると共に前記取付体に他方が設けられ、前記被取付体に前記取付体を取り付けることにより前記雄型コネクタと雌型コネクタとが互いに接続されるようにした遊技機であって、
前記取付体に締付具を装着し、前記被取付体の取付面に前記締付具に対応位置させて前記締付具が係脱自在に係合する固定具を設け、
前記締付具は、前記被取付体の取付面と対向位置する底壁を有し該底壁の両側にガイド用の長溝を設けた一対の側壁が立設される枠部材と、前記両側壁間に軸着され前記取付体の取付面に対し直交する面内で回動するレバーと、一端を前記レバーに枢支連結し他端のガイドピンを前記両長溝に嵌挿すると共に前記固定具に係合する係合部材と、前記レバーの軸支部の外側に位置し係合連結手段により前記レバーと係合しかつ該レバーの回動動作に伴い連動して先端部が前記レバーの施錠位置では前記取付体の取付面内に位置し前記レバーの開錠位置では前記取付体の取付面から前記被取付体側へ突出して位置する可動部材と、からなり、
前記被取付体の取付面に前記取付体を圧接するとき、前記雄型コネクタと前記雌型コネクタとが接続されるべく接触するよりも先に前記可動部材の先端が前記被取付体の取付面に当接するように前記可動部材の突出量を設定したことを特徴とする遊技機。
【発明の詳細な説明】
【技術分野】
【０００１】
本発明は、互いに接続される雄型コネクタまたは雌型コネクタのいずれかを有した本体枠等の被取付体と該被取付体に取り付けられる遊技盤等の取付体とを備えてなる遊技機に関するものである。
【背景技術】
【０００２】
従来、遊技機の一種であるパチンコ機は、例えば本体枠の取付面に遊技盤を着脱自在に取り付けており、このため遊技盤に締付具を装着すると共に本体枠の取付面に該締付具が係合する固定具を装着している。そして、本体枠の取付面に遊技盤を当接した状態で、締付具を固定具に係合させることにより遊技盤を本体枠の取付面に圧接するようにしている。また、遊技盤面には、電飾部品や電動入賞装置等の電気的に動作する盤面部品が配設されている。
【０００３】
そこで、前記本体枠に遊技盤を取り付ける場合は、該遊技盤を本体枠の取付面に取着した後に、別途配設された電気配線の接続用の雌・雄型コネクタを互いに接続するようにしていた。一方、交換等のため遊技盤を取り外す場合は、前記雌・雄型コネクタを分離した後に本体枠から遊技盤を取り外していた。このように、点検や交換等のため本体枠に遊技盤を着脱する際には、その都度その作業とは別に前記雌・雄型コネクタを接続または分離する作業が必要となり、これら雌・雄型コネクタが複数対設けられていると、遊技盤の着脱作業が非常に煩雑で面倒になるという課題があった。
【０００４】
この問題を解決すべく、例えば次のようなパチンコ機が開発された。すなわち、該パチンコ機は、本体枠に遊技盤の一側を回動自在に軸着し、しかも、遊技盤に雄型コネクタか雌型コネクタのいずれか一方を配置固定し、本体枠にはこれと対向位置させて前記雌・雄型コネクタの他方を配置固定してなる。そして、遊技盤を開閉して着脱する際に、その動作と同時に雌・雄型コネクタが自動的に接続または分離されるようにして、パチンコ機のメンテナンスなどの作業が容易に行なえ作業能率も向上できるようにしている。（例えば、特許文献１参照。）。
【０００５】
【特許文献１】実公平７−２７９６１号公報（第２−３頁、図２）
【発明の開示】
【発明が解決しようとする課題】
【０００６】
しかしながら、前記特許文献１のパチンコ機にあっては、遊技盤の着脱と同時に雌・雄型コネクタが自動的に接続または分離されるので、パチンコ機のメンテナンスなどの作業が容易に行なえることになるが、逆に、その作業が容易に行なえるがためにその作業は乱雑になり易い。ところで、雄型コネクタと雌型コネクタには、それぞれ接続口にピン形状の複数の端子またはこれら端子が挿入される孔形状の複数の端子が列設されており、これらの位置が少しでもずれていると、接続する際にピン形状の端子が孔形状の端子に挿入されずに折れ曲がってしまう危険性がある。
【０００７】
このため、例えば、乱雑なあまり遊技盤を勢いよく本体枠の取付面に圧接したとき、前記のように雌・雄型コネクタの両端子がずれていると、その端子が折れ曲がって破損し、その交換作業に追われるという余分な手間が増えることになり、却ってメンテナンス作業に支障を来たすといった課題が有る。
【０００８】
そこで、本発明は上記課題を解決すべくなされたもので、本体枠等の被取付体に遊技盤等の取付体を圧接するようにして取り付ける際に乱雑に扱っても、これらに一体に設けられる雌・雄型コネクタが破損するのを防止し、その取付が容易にしかも支障なく行なえるようにした遊技機を提供することを目的とするものである。
【課題を解決するための手段】
【０００９】
かかる目的を達成するため本発明の遊技機は、本体枠、機構板、透明板保持枠等の被取付体と該被取付体に圧接するようにして取り付けられる遊技盤、球払出し装置、電飾基板等の取付体とを備え、前記被取付体に雄型コネクタか雌型コネクタのいずれか一方が設けられると共に前記取付体に他方が設けられ、前記被取付体に前記取付体を取り付けることにより前記雄型コネクタと雌型コネクタとが互いに接続されるようにした遊技機であって、前記取付体に締付具を装着し、前記被取付体の取付面に前記締付具に対応位置させて前記締付具が係脱自在に係合する固定具を設け、前記締付具は、前記被取付体の取付面と対向位置する底壁を有し該底壁の両側にガイド用の長溝を設けた一対の側壁が立設される枠部材と、前記両側壁間に軸着され前記取付体の取付面に対し直交する面内で回動するレバーと、一端を前記レバーに枢支連結し他端のガイドピンを前記両長溝に嵌挿すると共に前記固定具に係合する係合部材と、前記レバーの軸支部の外側に位置し係合連結手段により前記レバーと係合しかつ該レバーの回動動作に伴い連動して先端部が前記レバーの施錠位置では前記取付体の取付面内に位置し前記レバーの開錠位置では前記取付体の取付面から前記被取付体側へ突出して位置する可動部材と、からなり、前記被取付体の取付面に前記取付体を圧接するとき、前記雄型コネクタと前記雌型コネクタとが接続されるべく接触するよりも先に前記可動部材の先端が前記被取付体の取付面に当接するように前記可動部材の突出量を設定したことを特徴とする。
【発明の効果】
【００１０】
本発明に係る遊技機は、被取付体の取付面に取付体を圧接するようにして取り付ける際に、雄型コネクタと雌型コネクタとが接続されるべく接触するよりも先に締付具の可動部材の先端が被取付体の取付面に当接するように可動部材の突出量を設定したので、仮に、乱雑なあまり勢いよく取付体を被取付体の取付面に圧接しても、可動部材の先端が先に被取付体の取付面に当接することはない。そして、その後に可動部材をゆっくりと取付体の取付面内に後退させて締付具を固定具に係合させる。同時に雌・雄型コネクタが接続される。よって、雌・雄型コネクタの両端子がずれていてもその端子が破損することがなく、その取付が容易にしかも支障なく行なえるという効果がある。
【発明を実施するための最良の形態】
【００１１】
以下、本発明に係る遊技機の実施の形態を図面に基づき詳しく説明する。本発明は、パチンコ機、アレンジボール機、雀球機、パチスロ機、パロット（登録商標）機、スロットマシン等の遊技機に適用されるが、この内、本発明はパチンコ機に適用される場合について説明する。なお、前記パロット機とは、パチンコ球を遊技媒体としてパチスロ機の遊技が可能な遊技機である。
【００１２】
図１は本発明に係り透明板保持枠を開いた状態のパチンコ機の斜視図、図２は同遊技盤を外した状態のパチンコ機の斜視図である。パチンコ機Ｐは縦長長方形状の機枠１を有し、該機枠１の前側に一側を軸着して被取付体としての本体枠３が開閉自在に装着されている。本体枠３はその中央に遊技盤２が前側から着脱自在に取付けられる凹窪み部４が形成され、その凹窪み部４の後端面に方形状の窓口５が開設される。
【００１３】
前記遊技盤２は縦長長方形状に成形され、その前面に内側のガイドレール６ａと外側のガイドレール６ｂとが渦巻状に敷設され、これら内・外側のガイドレール６ａ，６ｂに囲まれて遊技部２ａが成形される。該遊技部２ａには、図示は省略するが例えばその中央に各種の情報を変動表示する表示部を備えた可変表示装置が装着され、その下方に遊技球である打球が入賞することにより前記可変表示装置の表示部の情報を変動させる始動入賞口が装着される。更に、その下方に前記表示部の表示が特定の情報（例えば、「７，７，７」）に揃ったとき、一定の条件の下で一度に多くの賞球が得られる大型の入賞装置が装着される。前記内側・外側ガイドレール６ａ，６ｂの外側上下部に、後記する締付具Ａ１を取付けるための取付孔７，７が開設されている。
【００１４】
前記本体枠３の前側に、その一側で開閉自在に軸着される合成樹脂製の透明板保持枠８が設けられる。該透明板保持枠８には、遊技盤２前面の遊技部２ａに対向して円形状の窓開口９が開設され、該窓開口９の後側に２枚セットの透明板であるガラス板または合成樹脂板を備えた透明板ユニット１０が配置され、これにより該窓開口９を塞ぐようにしている。また、本体枠３の前面であって透明板保持枠８の下方に、打球発射位置（図示せず。）に供給する打球を貯留するための球受皿１１が装着される。また、該球受皿１１の一側に、打球発射位置から発射される打球の打球力を調整するための打球力調整ハンドル１２が装着される。
【００１５】
遊技盤２の一側上下部に取付けられる各締付具Ａ１に対応して、本体枠３の取付面３ａには各締付具Ａ１が係合する固定具１３が装着される。該固定具１３は金属製であって平面Ｌ型をなし、取付面３ａに取付片１３ａをネジ．止めすることにより装着され、前方へ突出し凹部が上を向く鉤状のフック片１３ｂに締付具Ａ１の後記する係合部材１７が係合することになる。固定具１３は本体枠３と別体に設けたが、本体枠３と一体に設けるようにしても良い。
【００１６】
また、本体枠３の取付面３ａと遊技盤２の裏面である取付面２ｂの適宜位置に互いに対応位置して、遊技盤２の着脱動作に伴い自動的に接触または離反して接続または分離される雌・雄型コネクタ１４ａ，１４ｂが設けられている。本発明にあっては、遊技盤２側に雄型コネクタ１４ｂを設け、本体枠３側に雌型コネクタ１４ａを設けるようにしたが、その逆であっても良い。
【００１７】
次に、遊技盤２に装着され本体枠３の取付面３ａに、遊技盤２を取り付け固定するための締付具Ａ１について説明する。該締付具Ａ１は、図３に示すように合成樹脂製であって枠部材１５と、該枠部材５内に配置されるレバー１６と、係合部材１７と、可動部材１８と、により構成されている。
【００１８】
枠部材１５は略箱型に形成され、前記本体枠３の取付面３ａと対向位置する後面に底壁２０を有すると共にその後面の一部と前面が開放されている。また、底壁２０の両側縁に平行な一対の側壁２１ａ，２１ｂが立設され、その内、一方の側壁２１ａが取り外せるようになっている。すなわち、側壁２１ａの所定位置にネジ挿通孔２２が設けられると共に枠部材１５側の対応位置にネジ孔２３ａを有する突起２３が設けられ、一方の側壁２１ａを枠部材１５の一側にあてがい各ネジ挿通孔２２を介してネジ孔２３ａにネジ２４をネジ締めして側壁２１ａが取り付けられる。両側壁２１ａ，２１ｂには、底壁２０と平行なガイド用の長溝２５，２５が設けられ、これら長溝２５，２５の一側に鍵孔状に屈曲する係合部２５ａ，２５ａが設けられている。
【００１９】
側壁２１ａ，２１ｂ間の短側壁２６，２６には外方へ突出する取付片２７，２７が突設され、各取付片２７にビス挿通孔２７ａが設けられる。前記枠部材１５内であって両側壁２１ａ，２１ｂ間に配置された一方の突起２３にレバー１６が軸着されることになる。そして、枠部材１５内であってその軸着部の外側に、可動部材１８が収納される収納部２８が形成される。収納部２８は、遊技盤２の取付面２ｂ側が開放している。
【００２０】
レバー１６は、下面にリブ壁３０を有し、該リブ壁３０の両側に一直線状をなす連係ピン３１，３１が一体に突設されている。また、レバー１６の一端に両端面が開放される軸筒部３２が設けられ、該軸筒部３２を枠部材１５内の両側壁２１ａ，２１ｂ間に配置された突起２３ａに嵌着することにより、レバー１６が遊技盤２の取付面２ｂに対し直交する面内で回動することになる。また、軸筒部３２の外周面であって収納部２８側にはその外周面に沿って複数の係合連結手段としての歯部３３が列設されている。
【００２１】
係合部材１７は、横断面円形状の係合杆部４１と該係合杆部４１の両端部に突設される腕片４２，４２とによってコ字状に形成される。そして、係合杆部４１の両端に突設したガイドピン４０，４０を両側壁２１ａ，２１ｂの長溝２５，２５に嵌挿すると共に、腕片４２，４２先端に設けられた円形孔４３，４３をレバー１６の両側の連係ピン３１，３１に嵌め合わせることによって該レバー１６に係合部材１７が枢支連結される。
【００２２】
可動部材１８は、長方形状をなす平板状に形成され、収納部２８に収納されると共にレバー１６の軸筒部３２と対向する面にその複数の歯部３３と噛合する係合連結手段としての歯部５０が列設される。可動部材１８の両側面に長手方向に沿って突条５１，５１が突設され、これら両突条５１，５１がこれらと対向して設けられた両側壁２１ａ，２１ｂの各ガイド溝２９，２９に嵌まり込んでいる。これにより、可動部材１８が安定して摺動することになる。そして、レバー１６を回動させるのに伴って両歯部３３，５０が噛み合い、可動部材１８が進退動して枠部材１５の端面から外側へ所定量突出する。すなわち、可動部材１８が遊技盤２の取付面２ｂから本体枠３の取付面３ａ側へ所定量突出することになる。
【００２３】
本発明に係るパチンコ機Ｐは上記構成からなり、遊技盤２の各取付孔７にその前側からレバー１６が前側に位置するようにして各締付具Ａ１を嵌め込み、各ネジ挿通孔２７ａを介して遊技盤２にネジ５２をネジ締し、各締付具Ａ１を装着する。この際、各締付具Ａ１における枠部材１５の後端面が遊技盤２の取付面２ｂと面一になる。
【００２４】
そこで、遊技盤２を本体枠３の取付面３ａに取り付けるには、各締付具Ａ１のレバー１６を引き上げるようにして回動させておく。これにより、遊技盤２の裏面の取付面２ｂから可動部材１８が所定量突出している。この可動部材１８の先端１８ａと遊技盤２の取付面２ｂとの間の寸法Ｄは、本体枠３の取付面３ａに遊技盤２を押し当てたとき、本体枠３側の雌型コネクタ１４ａと遊技盤２側の雄型コネクタ１４ｂとが接触せずに離れた位置にあるように設定されている。
【００２５】
そして、前記状態で本体枠３の前側からその取付面３ａの一側、図２ではパチンコ機Ｐを正面に見てその左側に遊技盤２の左側を差し込み、そのまま右側を後側へ回動するようにして遊技盤２を取付面３ａに押し当てる。これにより、図５に示すように遊技盤２側の雄型コネクタ１４ｂと本体枠３側の雌型コネクタ１４ａとが接続されるべく接触するよりも先に、締付具Ａ１の可動部材１８の先端１８ａが本体枠３の取付面３ａに当接する。また、このとき、係合部材１７の係合杆部４１両端のガイドピン４０，４０が、両側壁２１ａ，２１ｂの長溝２５，２５の一端部に設けられた係合部２５ａ，２５ａに嵌まり込んで容易に移動しないようになっている。すなわち、たとえ可動部材１８が本体枠３により押されて後退しようとしても、レバー１６を引き下げて両ガイドピン４０，４０を係合部２５ａ，２５ａから外さないと後退し得ない。よって、仮に、乱雑なあまり遊技盤２を勢いよく本体枠３の取付面３ａに圧接したとしても、雌・雄型コネクタ１４ａ，１４ｂの両端子の破損を防ぐことができる。
【００２６】
次に、可動部材１８の先端１８ａが本体枠３の取付面３ａに当接した後、図６に示すようにゆっくりと各レバー１６を引き下げて押し込む。これにより、可動部材１８が遊技盤２の取付面２ｂの内側へ後退すると共に遊技盤２が本体枠３の取付面３ａ側へ徐々に接近し、固定具１３が締付具Ａ１の枠部材１５内に入る。同時に、係合部材１７の係合杆部４１が両長溝２５，２５に沿って移動して固定具１３のフック片１３ａの内側に係合する。また、固定具１３が引き寄せられると同時にその反動作用によって遊技盤２が本体枠３の取付面３ａに強く圧接して遊技盤２を強固に固定する。このとき、レバー１６の連係ピン３１の中心が、係合杆部４１の中心とレバー１６の軸筒部３２が嵌着する突起２３の中心とを結ぶ線を越して本体枠３側へ移動し、これによりレバー１６の緩みが防止される。
【００２７】
雌・雄型コネクタ１４ａ，１４ｂは、遊技盤２を本体枠３の取付面３ａにゆっくり接近することになるので、雄型コネクタ１４ｂと雌型コネクタ１４ａが旨く接合でき、その端子を破損させるといった事故を起こすことがない。これにより、遊技盤２が図４に示すように本体枠３の取付面３ａに取付けられる。
【００２８】
レバー１６を引き下げた状態で、遊技盤２を本体枠３の取付面３ａに取り付けようとした場合は、図７に示すように係合杆部４１が長溝２５，２５に沿って移動している。そして、遊技盤２が本体枠３の取付面３ａに接近するにつれ締付具Ａ１の枠部材１５内に固定具１３が入り込んだとき、係合杆部４１が固定具１３のフック片１３ｂの外側縁に当接する。このときも、雌・雄型コネクタ１４ａ，１４ｂが互いに接続されるべく接触しないようになっている。よって、可動部材１８の先端１８ａが遊技盤２の取付面２ｂ内に後退している状態で、レバー１６を引き下げたまま遊技盤２を取り付けようとした場合も安全である。
【００２９】
図８、図９に示される締付具は他の実施の形態に係り、この締付具Ａ２は、本発明に係る締付具Ａ１と比較して係合連結手段が相違するのみであって、他の構成は同じなので、締付具Ａ１と同一部位は同一番号を附すことにより詳しい説明は省略する。
【００３０】
他の実施の形態に係る締付具Ａ２は、レバー１６の軸筒部３２の外周面に収納部２８側へ突出する係合連結手段としての作動片５５が設けられ、可動部材１８には該作動片５５に対応位置して該作動片５５が挿通される連結口５６が設けられる。作動片５５の先端にはレバー１６を引き上げた状態で、連結口５６における本体枠３側の内周面に当接する受止片部５５ａが一体に設けられている。
【００３１】
本発明と同様に各締付具Ａ２のレバー１６を引き上げるようにして回動させることにより、遊技盤２の取付面２ｂから可動部材１８が所定量突出する。この可動部材１８の先端１８ａと遊技盤２の取付面２ｂとの間の寸法Ｄは、本体枠３の取付面３ａに遊技盤２を押し当てたとき、本体枠３側の雌型コネクタ１４ａと遊技盤２側の雄型コネクタ１４ｂとが接触せずに離れた位置にあるように設定される。
【００３２】
そして、前記状態で本体枠３の前側から取付面３ａの一側に遊技盤２の左側を差し込み、そのまま右側を後側へ回動するようにして遊技盤２を取付面３ａに押し当てると、図８に示すように遊技盤２側の雄型コネクタ１４ｂと本体枠３側の雌型コネクタ１４ａとが接続されるべく接触するよりも先に、締付具Ａ２の可動部材１８の先端１８ａが本体枠３の取付面３ａに当接する。また、このとき、係合部材１７の係合杆部４１両端のガイドピン４０，４０が、両側壁２１ａ，２１ｂの長溝２５，２５の一端部に設けられた係合部２５ａ，２５ａに嵌まり込んで容易に移動しないようになっている。すなわち、たとえ可動部材１８が本体枠３により押されて後退しようとしても、レバー１６を引き下げて両ガイドピン４０，４０を係合部２５，２５から外さないと後退し得ない。よって、仮に、乱雑なあまり遊技盤２を勢いよく本体枠３の取付面３ａに圧接したとしても、雌・雄型コネクタ１４ａ，１４ｂの両端子の破損を防ぐことができる。
【００３３】
次に、可動部材１８の先端１８ａが本体枠３の取付面３ａに当接した後、図９に示すようにゆっくりと各レバー１６を引き下げて押し込む。これにより、可動部材１８が遊技盤２の取付面２ｂの内側へ後退すると共に遊技盤２が本体枠３の取付面３ａ側へ徐々に接近し、固定具１３が締付具Ａ２の枠部材１５内に入る。同時に、係合部材１７の係合杆部４１が両長溝２５，２５に沿って移動して固定具１３のフック片１３ａの内側に係合する。また、固定具１３が引き寄せられると同時にその反動作用によって遊技盤２が本体枠３の取付面３ａに強く圧接して遊技盤２を強固に固定する。このとき、レバー１６の連係ピン３１の中心が、係合杆部４１の中心とレバー１６の軸筒部３２が嵌着する突起２３の中心とを結ぶ線よりも本体枠３側へ寄っており、これによりレバー１６の緩みが防止される。
【００３４】
この場合も、雌・雄型コネクタ１４ａ，１４ｂは、遊技盤２を本体枠３の取付面３ａにゆっくり接近することになるので、雄型コネクタ１４ｂと雌型コネクタ１４ａが旨く接合でき、その端子を破損させるといった事故を起こすことがない。これにより、遊技盤２が図４に示すように本体枠３の前面の取付面３ａに取付けられる。
【００３５】
本発明や他の実施の形態に係る締付具Ａ１，Ａ２を備えた遊技盤２にあっては、遊技盤２を取り付ける場合だけでなく取り外す場合も、レバー１６を引き上げることにより、可動部材１８が本体枠３の取付面３ａに突出するので、遊技盤２が逆に前側へ押し出されることになり、その遊技盤２が取り外し易く遊技盤２の交換作業も容易に行なえることになる。また、雌・雄型コネクタ１４ａ，１４ｂも遊技盤２の回動と共にゆっくり分離されるので、破損することがほとんどない。本発明では本体枠３に対し遊技盤２をその前側から脱着する場合について説明したが、その後側から取り付ける場合についても本発明が同様に適用できる。
【００３６】
本発明では、取付体を遊技盤２、被取付体を本体枠３とした場合を説明したが、他の実施の形態として被取付体をパチンコ機Ｐの裏側に配置され遊技盤２の裏面を覆う機構板７０とし、取付体を該機構板７０の裏面に装着されパチンコ機Ｐ前面の球受皿１１にパチンコ球を払い出す球払出し装置６０とした場合を図１０に示す。
【００３７】
７１は、機構板７０の裏面上部に設けられるタンクレールであり、その上流側の球タンク（図示せず。）から排出されるパチンコ球を誘導するようにしている。タンクレール７１の流下端にカーブレール７２を介して球払出し装置６０が配置される。該球払出し装置６０から払い出されたパチンコ球は、該球払出し装置６０の下方に配置される球排出通路７３を介して球受皿１１に導かれることになる。
【００３８】
球払出し装置６０は、縦長ケース状の装置本体６１を有し、該装置本体６１の裏面である取付面６１ａ側から上方へ突出した取付基板６２の上部部位６２ａに取付孔６３が開設されると共に、該取付孔６３に締付具Ａ１または締付具Ａ２が装着される。以下、単に締付具Ａ１が装着される場合を説明する。取付基板６２の取付面６１ａに臨むようにして雄型コネクタ６４ｂが一体に設けられている。また、取付基板６２の下縁両側に、下方へ突出するようにして一対の差込片６５，６５が設けられる。
【００３９】
一方、機構板７０の取付面７０ａには、締付具Ａ１に対応位置させて固定具１３が装着され、その下方に雄型コネクタ６４ｂに対応させて雌型コネクタ６４ａが設けられる。更に、取付面７０ａの下端でありかつ球排出通路７３の上面の両側に、取付面７０ａ側に寄せて一対の挿入孔７４，７４が設けられている。
【００４０】
そして、締付具Ａ１のレバー１６を引き上げるようにして回動させておく。これにより、取付基板６２の取付面６１ａから可動部材１８が所定量突出している。この可動部材１８の先端１８ａと取付基板６２の取付面６１ａとの間の寸法は、球払出し装置６０を機構板７０の取付面７０ａに押し当てようとしたとき、機構板７０側の雌型コネクタ６４ａと球払出し装置６０側の雄型コネクタ６４ｂとが接触せずに離れた位置にある。そこで、機構板７０の取付面７０ａに取付基板６２の取付面６１ａを対向位置させるようにして球払出し装置６０を配置し、両挿入孔７４，７４に取付基板６２の両側下端の差込片６５，６５を差し込む。この状態で、取付基板６２の下端部を中心としてその上部を機構板７０の取付面７０ａ側へ回動させて接近させる。
【００４１】
この場合も、図示は省略するが、本発明と同様に球払出し装置６０側の雄型コネクタ６４ｂと機構板７０側の雌型コネクタ６４ａとが接続されるべく接触するよりも先に、締付具Ａ１の可動部材１８の先端１８ａが機構板７０の取付面７０ａに当接し、乱雑なあまり球払出し装置６０を勢いよく機構板７０の取付面７０ａに圧接したとしても、雌・雄型コネクタ６４ａ，６４ｂの両端子の破損を防ぐことができる。よって、雌・雄型コネクタ６４ａ，６４ｂが破損するといった危険性もなく安全かつ確実に球払出し装置６０の取付ができることとなり、その取付作業が容易にかつ支障なく行なえる。
【００４２】
本発明では、取付体を遊技盤２、球払出し装置６０、被取付体を本体枠３、機構板７０とした場合を説明したが、他に、取付体を電飾基板、被取付体を透明板保持枠としても、本発明が適用できることは勿論である。
【図面の簡単な説明】
【００４３】
【図１】本発明に係り透明板保持枠を開いた状態のパチンコ機の斜視図。
【図２】同遊技盤を外した状態のパチンコ機の斜視図。
【図３】締付具の分解斜視図。
【図４】遊技盤を取付けた状態のパチンコ機の平面断面図。
【図５】遊技盤を取付ける際の本体枠の側面断面図。
【図６】遊技盤を取付けた状態の本体枠の側面断面図。
【図７】レバーを引き下げた状態で遊技盤を取付ける際の本体枠の側面断面図。
【図８】他の締付具を使った遊技盤を取付ける際の本体枠の側面断面図。
【図９】同遊技盤を取付けた状態の本体枠の側面断面図。
【図１０】他の実施の形態に係り、機構板と球払出し装置との分解斜視図。
【符号の説明】
【００４４】
２              取付体（遊技盤）
３              被取付体（本体枠）
３ａ            取付面
１３            固定具
１４ａ          雌型コネクタ
１４ｂ          雄型コネクタ
１５            枠部材
１６            レバー
１７            係合部材
１８            可動部材
２０            底壁
２１ａ          側壁
２１ｂ          側壁
２５            長溝
３３            係合連結手段
４０            ガイドピン
５０            係合連結手段
６０            取付体（球払出し装置）
７０            被取付体（機構板）
Ａ１            締付具
Ａ２            締付具
Ｄ              突出量（寸法）
Ｐ              遊技機（パチンコ機）
【図１】
2008259594.tif 000003
【図２】
2008259594.tif 000004
【図３】
2008259594.tif 000005
【図４】
2008259594.tif 000006
【図５】
2008259594.tif 000007
【図６】
2008259594.tif 000008
【図７】
2008259594.tif 000009
【図８】
2008259594.tif 000010
【図９】
2008259594.tif 000011
【図１０】
2008259594.tif 000012